【事件の表示】
　特許第３４１２０８８号「塗装ガン装置」の請求項１に係る特許に対する特許異議の申立てについて、次のとおり決定する。
【結　論】
　訂正を認める。
　本件特許異議の申立てを却下する。
【理　由】
１．手続の経緯
　特許第３４１２０８８号の請求項１ないし２に係る発明についての出願は、平成１１年９月３０日の特許出願（特願平１１−２７９２２２号）であって、平成１５年３月２８日にその発明について特許権の設定登録がなされた（公報発行日：平成１５年６月３日）。
　その後、平成１５年１２月１日付け（差出日：平成１５年１２月２日、受付日：平成１５年１２月３日）で本件の請求項１に係る発明の特許に対して関西ペイント株式会社より特許異議が申立てられ、平成１６年２月１７日付け（発送日：平成１６年２月２７日）で取消理由が通知され、平成１６年４月２６日付けで訂正請求がなされた。
　
２．訂正の適否についての判断
（１）訂正の内容
　上記訂正請求は、訂正請求書に添付された訂正明細書の記載からみて次のとおりのものであると認める。
訂正事項ａ：特許請求の範囲の訂正
　特許請求の範囲の請求項１を削除するとともに、請求項２を繰り上げて、請求項１と訂正し、かつ、引用形式を独立形式に訂正する。
訂正事項ｂ：発明の詳細な説明の訂正
ｂ−１：段落０００６中の「複数箇形成されたものとする。」との記載を「複数箇形成されたものであって、フード体の外径寸法は凡そ５ｃｍ程度とし、且つ外気流入孔は噴射ノズル体との外周間に弧弦形状を形成したものとする。」と訂正する。
ｂ−２：段落０００７中の「このさい、フード体の外径寸法は凡そ５ｃｍ程度とし、且つ外気流入孔は噴射ノズル体との外周間に弧弦形状を形成したものとする。また、」との記載を「また、」と訂正する。
　
（２）訂正の目的の適否、新規事項の有無及び特許請求の範囲の拡張・変更の存否
（訂正事項ａ）について
　この訂正は、訂正前の請求項１を削除するとともに、該訂正前の請求項１を削除する訂正に伴って、訂正前の請求項１の引用形式で記載されていた訂正前の請求項２を、明りょうでない記載の釈明を目的として単に独立形式請求項（上記訂正明細書の請求項１）とするものであるから、特許請求の範囲の限縮及び明りょうでない記載の釈明を目的とした明細書の訂正に該当し、新規事項の追加に該当せず、実質上特許請求の範囲を拡張し、又は変更するものではない。
（訂正事項ｂ）について　
　これらの訂正は、訂正事項ａに対応するものであり、発明の詳細な説明において、特許請求の範囲の記載との整合を図るために訂正されたものであるから、明りょうでない記載の釈明を目的とした明細書の訂正に該当し、新規事項の追加に該当せず、実質上特許請求の範囲を拡張し、又は変更するものではない。
　
（３）むすび
　以上のとおりであるから、上記訂正は、平成１５年改正前の特許法第１２０条の４第２項及び同条第３項において準用する同特許法第１２６条第２、３項の規定に適合するので、当該訂正を認める。
　
３．特許異議の申立てについての判断
　訂正前の請求項１に係る発明は、訂正の結果削除され、特許異議の申立ての対象が存在しないので、この特許異議の申立ては、不適法な申立てであって、その補正をすることができないものである。
　したがって、本件特許異議の申立ては、特許法第１２０条の６第１項で準用する第１３５条の規定によって却下すべきものである。
　よって、結論のとおり決定する。
【異議決定日】
平成１６年１１月２５日（２００４．１１．２５）
【訂正の要旨】
審決（決定）の【理由】欄参照。
（５４）【発明の名称】
塗装ガン装置
（５７）【特許請求の範囲】
　【請求項１】　中心部に塗装液の噴射ノズル体を備え、該噴射ノズル体を取囲んでフード体を脱着自在になさしめたものに於いて、該フード体内にリング状の窩室を形成すると共に、フード体前面には複数箇の主透孔を等間隔に穿設し、各主透孔と上記窩室とを連通させ、且つ該窩室内には外部から圧縮空気を吹込むための導入管を接続させるほか、上記フード体に於ける噴射ノズル体との取付内周面と噴射ノズル体外周面との間に外気流入用の一定大きさの外気流入孔を均等間隔で複数箇形成されるものとなした
塗装ガン装置であって、フード体の外径寸法は凡そ５ｃｍ程度とし、また外気流入孔は噴射ノズル体との外周間に弧弦形状を形成した
【発明の詳細な説明】
　【０００１】
　【発明の属する技術分野】本発明は、被塗装物に対して塗料を噴霧塗装する塗装ガン装置に関する。
　【０００２】
　【従来の技術】塗装噴霧の塗装ガン装置にフードを取付けることは知られており、図６は従来装置を示す。１’はスプレーガン本体、２’は本体先端の噴射ノズル体、３’は該噴射ノズル体を取囲んで取付けられるフード、４’は噴射ノズル体締付ナットであって、該外周に前記フード３’をボルト５’を使用して止着させる構成であり、本体１側のレバー１’ａ操作で微粒化した塗装液６’が細線の如く被塗装物７’に対して噴射されるものとなる。上記装置の液圧は４０気圧〜２５０気圧としたさい、噴霧距離が塗装面から３０ｃｍ〜３５ｃｍ離れた状態で最良の塗装分布が得られる。これにより離れた位置では噴射された塗料は貫通力を失い大部分の塗料が周辺に飛散するものとなる。
　【０００３】上記に於いて塗装液６’はフード３’でその放射方向が定められているものの、風の影響を受けて無雑作に飛散するものとなるのであり、このことは塗装むらや塗装効率の低下の原因をなすものとなっている。即ち、造船所などでの屋外塗装では塗装面に対する塗料の付着率は５０％以下であり、塗料の非経済性だけの問題でなく、塗料の飛散による工場周辺の環境問題も発生させる。この問題を解決する現状の対策は風向きを考え、塗装工事を中止したり飛散防止ネットを使用したりすることである。
　【０００４】本発明者は、上記問題点を解決するものとして、即ち使用段階で塗装液の粒子速度を高め、被塗装物との対向間距離が大であっても粒子速度が低下することのないようにして、均一で且つダスト飛散の防止されるものとして、先に特願平１０−４８８４８号を提案し、これは特許第２９１７０１３号として特許登録された。
　【０００５】
　【発明が解決しようとする課題】上記の特許発明は図７に示す如く円錐体や円板体のフード７’に圧縮空気８’を導入して噴出孔９’から噴出されると共に、該フード７’内に穿設した多数の通風口１０’からも外気が流入されるようになすのであり、これにより噴射塗装液の粒子速度が加速されて付着効率が向上する（従来品では塗料と空気の接触抵抗により粒子速度が低下し、且つ超微粒化されたダストとなって飛散する）のであるが、噴射ノズルを揺動させるさいのフード体の抵抗が作業者の作業効率に影響を及ぼすことが解り、且つこのことはスプレーガン本体の柄先が長くなるほど、また長時間の作業となるほど深刻化される問題となる。本発明は上記の点に鑑み、フード体の外径を短小化させて抵抗を小ならしめるよう工夫したものである。
　【０００６】
　【課題を解決するための手段】本発明は中心部に塗装液の噴射ノズル体を備え、該噴射ノズル体を取囲んでフード体を脱着自在になさしめたものに於いて、該フード体内にリング状の窩室を形成すると共に、フード体前面には複数箇の主透孔を等間隔に穿設し、各主透孔と上記窩室とを挿通させ、且つ該窩室内には外部から圧縮空気を吹込むための導入管を接続させるほか、フード体に於ける噴射ノズル体との取付内周面と噴射ノズル体外周面との間に外気流入用の一定大きさの外気流入孔を均等間隔で複数箇形成されたもの
であって、フード体の外径寸法は凡そ５ｃｍ程度とし、且つ外気流入孔は噴射ノズル体との外周間に弧弦形状を形成した
　【０００７
】ま
　【０００８】
　【発明の実施の形態】図１は本発明に係るフード体の斜視図、図２は同縦断面図である。本発明でフード体１は断面凸形状の基体１Ａと断面凹形状の蓋体１Ｂとからなり、基体１Ａの中央突起体２の外周面には雄ネジｍが形成されると共に、該中央突起体２の空洞内周面には後述する噴射ノズル体の止着用六角ボルトが係止可能となる複数個の切欠ｋが設けてあり、該切欠ｋに対し六角ボルトの角部を係合止着させるさい空洞内周面との間に弧弦形状をなした外気流入孔３の複数個が等間隔に形成されるものとなっている。
　【０００９】４は上記基体１Ａを噴射ノズル体の外周六角ボルトに対し止着させるための止めネジ、５は基体１Ａの後面側に設けた圧縮空気導入管口であって、該管口を介して導入される圧縮空気は基体１Ａの前面部側で突起体２の外周段部ｇへ噴出されるものとなる。
　【００１０】一方、断面凹形をなしたリング状の蓋体１Ｂはその内孔の内周面に対し前記基体１Ａの突起体２の外周面に刻設した雄ネジｍと螺合する雌ネジｎが設けてあり、また裏面側の周縁寄りに形成される凹部６は、その螺合により基体１Ａの段部ｇとの間に前記圧縮空気を貯留させるための窩室ｓを形成するものとなる。なお、該窩室ｓから蓋体１Ｂの前面側に向けては等間隔に多数の透孔７（主透孔）を穿設するのであり、このさい各主透孔７は該フード体を噴射ノズル体の外周へ取付けたさい、その中心ノズル孔を通る線と平行線に対し１°〜１５°の傾斜角度θを形成させるものとなしてある。
　【００１１】他方、８は上記主透孔７の穿設される位置より少し外方の円周上で１／４分箇所に穿設した今１つの透孔（副透孔）であり、図示例では前者透孔７を８箇設けた２箇飛び箇所の中間に穿設したものである。而して、該副透孔８の各々は噴射ノズル体の中心ノズル孔を通る線と平行線に対し１５°〜２０°の傾斜角度θ’を形成したものとなされる。なお、副透孔８は上記の４箇に限らず、２箇、６箇、８箇の偶数箇を対称的に設けることができる。
　【００１２】図３は上記構成のフード体を噴射ノズル体２’に装着させたさいの正面図、図４は同縦断面図であって、噴射ノズル体外周の六角ボルト９に対し、六角ボルト９とノズル体内周面の切欠ｋとが係合するように嵌入させ、止めネジ４を締め付けることにより止着が行われる。このさい、六角ボルト９の外周とフード体１の内周との間には、図４に見られる通り弧弦形状の外気流入孔３が等間隔に形成されるものとなる。
　【００１３】図５は使用状態図であって、圧縮空気導入口５には図示しないコンプレッサー装置からの圧縮空気管１０を接続する。而して、該塗装ガン装置の噴射ノズル体から塗装液の噴射を行わしめるのであるが、このさいそのノズル孔から噴射される塗装液１１の外周を取囲むようになして主透孔７及び副透孔８から圧縮空気が噴出されるものとなる。即ち、フード体に於いて圧縮空気導入口５から導入される圧縮空気は、窩室ｓ内に入り該室ｓに貯留されるものとなり、且つ主透孔７及び副透孔８を介してフード体１の前方に向けて噴出され、噴射ノズル体からの噴霧塗装液を不測に周辺へ拡散したりすることのないようにするのである。
　【００１４】このさい、噴射ノズル体の六角ボルト９外周面とフード体１の内周面との間に形成されてなる外気流入孔１０は、上記圧縮空気の噴射に伴いフード体裏面側から外気をその前面側へ向けて流入させるのであり、このことは噴射ノズル体から噴射される塗料噴霧液の微細化に寄与するものとなるほか、噴霧液の流速を高めて塗装液の付着力の向上に貢献させるものとなるのである。
　【００１５】なお、上記に於ける圧縮空気の噴出で、主透孔７を１°〜１５°の傾斜角度θに傾斜させることは、中心孔から噴出される塗料噴霧液の外周を圧縮空気による旋回流１２で包み込んで噴霧液がダスト化して飛散するのを防止し、且つ均一で密度班のない塗装作業が遂行されるようになすためである。即ち、上記傾斜角度θのものは本発明者の数多の実験により、地球自転の関係から最も好ましい旋回流１２が形成されるものとなるのであり、更に上記主透孔７の位置する少し外方箇所に穿設された副透孔８から同様噴射される圧縮空気は上記作用効果の外に、特別塗膜厚の均一化向上に寄与させるものとなるのであり、本発明の実験結果では該傾斜角度θ’を１５°〜２０°となしたものが最も好結果が得られた。
　【００１６】
　【発明の効果】本発明は以上の通り構成するものであって、特許第２９１７０１号に於けるフード体に穿設した通風口をフード体に直接穿設したりすることなく、これを噴射ノズル体に取付けるさいの六角ボルトとの周辺に形成するものとなしたことから、フード体１の大きさを比較的小さいもの、即ち外形寸法を凡そ５ｃｍ程度までのものとすることができるのであり、塗装ガンを揺動させる作業者の抵抗を小さくできて作業のやり易いものとなって、作業効率の向上に寄与すること大ならしめるものである。このことは、塗装ガンの柄が大となるほどその効果が顕著なものとなる。
【図面の簡単な説明】
　【図１】本発明に係るフード体の斜視図である。
　【図２】図１の縦断面図である。
　【図３】上記フード体を噴射ノズル体へ装着した正面図である。
　【図４】図３の縦断面図である。
　【図５】使用状態図である。
　【図６】一般的な従来装置である。
　【図７】先に本発明者の提案したものである。
　【符号の説明】
　１　フード体
　１Ａ　基体
　１Ｂ　蓋体
　２　突起体
　３　外気流入体
　４　止めネジ
　５　圧縮空気導入管口
　６　凹部
　７　主透孔
　８　副透孔
　９　六角ボルト
　１１　噴霧液
　１２　旋回流